【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
夫々が物体の像を形成する複数のレンズ部と、
前記複数のレンズ部の光軸上に配置される複数のフィルタと、
前記物体からの光を前記複数のレンズ部に導光する、前記複数のレンズ部に対して共通の第１光学系と、
前記複数のレンズ部、前記複数のフィルタ、及び前記第１光学系を保持する保持部材とを備え、
前記複数のフィルタは、互いに異なる透過特性を有する第１及び第２のフィルタを含み、
前記保持部材は第１のマウント部を有し、
該第１のマウント部を介して前記撮像装置に着脱可能であることを特徴とする光学装置。
【請求項２】
前記第１のマウント部は、前記撮像装置と電気的に接続するための電気接点を含むことを特徴とする請求項１に記載の光学装置。
【請求項３】
前記複数のレンズ部及び前記複数のフィルタに関する情報を前記撮像装置に送信する通信部を有することを特徴とする請求項１又は２に記載の光学装置。
【請求項４】
前記第１及び第２のフィルタは、互いに異なる波長の光を射出することを特徴とする請求項１乃至３の何れか一項に記載の光学装置。
【請求項５】
前記第１及び第２のフィルタは、互いに異なる偏光状態の光を射出することを特徴とする請求項１乃至３の何れか一項に記載の光学装置。
【請求項６】
前記複数のフィルタの全ての透過特性は、互いに異なることを特徴とする請求項１乃至５の何れか一項に記載の光学装置。
【請求項７】
前記複数のフィルタは、互いに同一の透過特性を有する二つ以上のフィルタを含むことを特徴とする請求項１乃至５の何れか一項に記載の光学装置。
【請求項８】
前記第１光学系は、前記物体からの光を平行光に変換して前記複数のレンズ部に導光することを特徴とする請求項１乃至７の何れか一項に記載の光学装置。
【請求項９】
前記保持部材は第２のマウント部を有し、該第２のマウント部を介して前記アクセサリ装置に着脱可能であることを特徴とする請求項１乃至８の何れか一項に記載の光学装置。
【請求項１０】
前記第２のマウント部は、前記アクセサリ装置と電気的に接続するための電気接点を含むことを特徴とする請求項９に記載の光学装置。
【請求項１１】
前記アクセサリ装置は、前記撮像装置に対して着脱可能であることを特徴とする請求項９又は１０に記載の光学装置。
【請求項１２】
前記物体からの光を前記第１光学系に導光する、前記複数のレンズ部に対して共通の第２光学系を備えることを特徴とする請求項１乃至８の何れか一項に記載の光学装置。
【請求項１３】
前記第２光学系は、前記物体の中間像を形成することを特徴とする請求項１２に記載の光学装置。
【請求項１４】
前記物体の中間像の位置に配置される視野絞りを備えることを特徴とする請求項１３記載の光学装置。
【請求項１５】
前記第１光学系よりも物体側に配置される拡散素子を備えることを特徴とする請求項１乃至１４の何れか一項に記載の光学装置。
【請求項１６】
夫々が物体の像を形成する複数のレンズ部と、
前記複数のレンズ部の光軸上に配置される複数のフィルタと、
前記物体からの光を前記複数のレンズ部に導光する、前記複数のレンズ部に対して共通の第１光学系と、
前記複数のレンズ部、前記複数のフィルタ、及び前記第１光学系を保持する保持部材と、
前記複数のレンズ部及び前記複数のフィルタに関する情報を撮像装置に送信するための通信部とを備え
前記複数のフィルタは、互いに異なる透過特性を有する第１及び第２のフィルタを含むことを特徴とする光学装置。
【請求項１７】
請求項１乃至１６の何れか一項に記載の光学装置と、該光学装置が装着される前記撮像装置とを備えることを特徴とする撮像システム。
【請求項１８】
前記撮像装置は、前記複数のレンズ部に対して共通の撮像素子を有することを特徴とする請求項１７に記載の撮像システム。
【請求項１９】
前記撮像装置は、前記撮像素子を移動するための移動機構を有することを特徴とする請求項１８に記載の撮像システム。
【請求項２０】
前記光学装置の固有情報に基づいて、前記撮像装置により取得される画像情報の処理を行う処理部を備えることを特徴とする請求項１７乃至１９の何れか一項に記載の撮像システム。
【手続補正２】
【補正対象書類名】明細書
【補正対象項目名】０００７
【補正方法】変更
【補正の内容】
【０００７】
上記目的を達成するための、本発明の一側面としての光学装置は、夫々が物体の像を形成する複数のレンズ部と、前記複数のレンズ部の光軸上に配置される複数のフィルタと、前記物体からの光を前記複数のレンズ部に導光する、前記複数のレンズ部に対して共通の第１光学系と、前記複数のレンズ部、前記複数のフィルタ、及び前記第１光学系を保持する保持部材とを備え、前記複数のフィルタは、互いに異なる透過特性を有する第１及び第２のフィルタを含み、前記保持部材は第１のマウント部を有し、該第１のマウント部を介して前記撮像装置に着脱可能あることを特徴とする。
【手続補正３】
【補正対象書類名】明細書
【補正対象項目名】００４３
【補正方法】変更
【補正の内容】
【００４３】
処理部２７は光学装置２に関する固有情報を記憶しており、処理部１４はその固有情報を受信することによって光学装置２が撮像装置１に装着されたことを認識する。光学装置２の固有情報は、例えばレンズアレイ２１及びフィルタアレイ２２の夫々に関する識別番号などの識別子（ＩＤ）又はレンズアレイ２１及びフィルタアレイ２２の組み合わせに関する識別子である。処理部１４は、受信した固有情報に基づいて、光学装置２の種別や個体を認識することができる。
【手続補正４】
【補正対象書類名】明細書
【補正対象項目名】００５１
【補正方法】変更
【補正の内容】
【００５１】
図３は、本実施例に係る撮像システム２００の要部概略図（模式図）である。図３（ａ）は複数のレンズ部のうちの一部の光軸を含む断面を示し、図３（ｂ）は撮像面を−Ｚ方向から見たときの正面図を示している。撮像システム２００の撮像システム１００に対して異なる点は、光学装置２におけるレンズアレイ２１及びフィルタアレイ２２の構成と、光学装置２の物体側にレンズ装置（レンズユニット）３が装着されている点である。
【手続補正５】
【補正対象書類名】明細書
【補正対象項目名】００５４
【補正方法】変更
【補正の内容】
【００５４】
本実施例に係るレンズ装置３は、撮像システム２００の画角（撮像画角）を変換する役割を果たしている。すなわち、レンズ装置３を光学系３１の構成が異なるものに交換することで、様々な画角に対応する画像情報を取得することができる。なお、レンズ装置３を用いずに、各レンズ部を複数のレンズ群で構成し、隣接するレンズ群の間隔を変更可能とすることで、撮像システム１２００の画角を変更することも可能である。しかし、その場合はレンズアレイ２１の製造及び制御の難易度が高くなり、かつ光学装置２の構成が複雑化及び大型化してしまう。
【手続補正６】
【補正対象書類名】明細書
【補正対象項目名】００５５
【補正方法】変更
【補正の内容】
【００５５】
よって、光学装置２の簡素化及び小型化のためには、本実施例のようにレンズ装置３の交換によって撮像システム１００の画角を変更できるように構成すること望ましい。なお、レンズ装置３における光学系３１を構成する少なくとも１枚のレンズを移動可能とすることで、ピント調整（フォーカシング）を行うようにしてもよい。また、光学系３１を複数のレンズ群で構成して隣接するレンズ群の間隔を変更し、撮像システム１２００の焦点距離を変更することで、画角や結像倍率を調整できるようにしてもよい。
【手続補正７】
【補正対象書類名】明細書
【補正対象項目名】００６０
【補正方法】変更
【補正の内容】
【００６０】
図４は、本実施例に係る撮像システム３００の要部概略図（模式図）である。図４（ａ）は複数のレンズ部のうちの一部の光軸を含む断面を示し、図４（ｂ）はレンズアレイ２１の正面図を示し、図４（ｃ）は撮像面の正面図を示している。撮像システム３００の撮像システム２００に対して異なる点は、レンズアレイ２１を構成するレンズ部の数と、一部のレンズ部のサイズ及び配置である。
【手続補正８】
【補正対象書類名】明細書
【補正対象項目名】００６６
【補正方法】変更
【補正の内容】
【００６６】
図５は、本実施例に係る撮像システム４００の要部概略図（模式図）である。図５（ａ）は複数のレンズ部のうちの一部の光軸を含む断面を示し、図５（ｂ）は撮像面の正面図を示している。撮像システム４００の撮像システム１００に対して異なる点は、光学装置２の物体側にレンズ装置３及びアダプタ装置（アダプタユニット）４が装着されている点である。
【手続補正９】
【補正対象書類名】明細書
【補正対象項目名】００７５
【補正方法】変更
【補正の内容】
【００７５】
図５（ａ）に示すように、アダプタ装置４は、光学装置２における処理部２７と同様の処理部４６を備えていることが望ましい。処理部４６は、アダプタ装置４に関する固有情報を記憶しており、その固有情報を光学装置２における処理部２７を介して、又は直接撮像装置１における処理部１４に送信することができる。処理部１４は、アダプタ装置４の固有情報に基づいて、アダプタ装置４の種別や個体を認識することができる。また、処理部１４は、レンズ装置３、アダプタ装置４、及び光学装置２の少なくとも一つの固有情報に応じて、撮像素子１１から出力される画像情報を処理することができる。このとき、レンズ装置３の固有情報を用いて、レンズ装置３で生じる収差による画像情報への影響を補正してもよい。